(57)【要約】【課題】パウチを内部に収容したままの状態で電子レンジ加熱することができて、その際、内容物の焦げ付きや蒸気による箱の変形等を防止できる、電子レンジ加熱用収納箱を提供する。【解決手段】底板部と、前後の第１側板部と左右の第２側板部と、天板部とから直方体或いは立方体を成し、内部に四角形状の平置型パウチＰを収容する電子レンジ加熱用の収納箱１であって、下側の各コーナー部を内側に突出させて成る台座部７１と、下側の各コーナー部に形成され箱内部から箱外部へ通じる蒸気用抜け穴７２と、を有し、台座部７１に平置型パウチＰの縁部を載せることで、平置型パウチＰを底板部の上側に距離を置いて保持し、その状態で当該平置型パウチを加熱するとパウチから噴出した蒸気が蒸気抜け穴７２を介して箱外部へ出る。【選択図】図１
2010195416.tif 000002
【特許請求の範囲】
【請求項１】
底板部と、前後の第１側板部と左右の第２側板部と、天板部とから直方体或いは立方体を成し、内部に四角形状の平置型パウチを収容する電子レンジ加熱用の収納箱であって、
下側の各コーナー部を内側に突出させて成る台座部と、上記各コーナー部に形成されており箱内部から箱外部へ通ずる蒸気用抜け穴と、を有し、
上記台座部に上記平置型パウチを載せることで、当該平置型パウチは底板部の上側に距離を置いて保持され、その状態で当該平置型パウチが加熱されると上記パウチから噴出した蒸気が上記蒸気抜け穴を介して箱外部へ出る、電子レンジ加熱用収納箱。
【請求項２】
前記第１側板部及び前記第２側板部の各下側角部は、切れ込み線と折れ線とで画成される小片部を有し、隣接する第１側板部の小片部と第２側板部の小片部との一方は糊代を有し、前記台座部は、糊代で接合した上記第１側板部の小片部と上記第２側板部の小片部とで成る、請求項１に記載の電子レンジ加熱用収納箱。
【請求項３】
前記天板部は前記第１側板部の上縁と前記第２側板部の上縁よりも低い位置に配設されて、箱上面が凹部として構成されている、請求項１又は２に記載の電子レンジ加熱用収納箱。
【請求項４】
底板部と、前後の第１側板部と左右の第２側板部と、天板部とから直方体或いは立方体を成し、内部に四角形状の平置型パウチを収容する電子レンジ加熱用の収納箱であって、
下側の各コーナー部を内側に突出させて成る第１台座部と、
上記各コーナー部に形成されており箱内部から箱外部へ通じる第１蒸気用抜き穴と、
上側のコーナー部と下側のコーナー部との間で、各第１側板部と各第２側板部とが成す垂直辺を部分的に内側に突出させて成る第２台座部と、
上記第２台座部に隣接して形成されており箱内部から箱外部へ通じる第２蒸気用抜け穴と、を有することで、
上記第１台座部に上記平置型パウチを載せることで、当該平置型パウチは底板部の上側に距離を置いて保持され、上記第２台座部に上記平置型パウチの縁部を載せることで、当該平置型パウチは上記第１台座部に載置した平置型パウチの上側に距離を置いて保持される、電子レンジ加熱用収納箱。
【請求項５】
一つの垂直辺に複数の前記第２台座部を有する、請求項４に記載の電子レンジ加熱用収納箱。
【請求項６】
各台座部間に切り離し手段が設けられた、請求項５に記載の電子レンジ加熱用収納箱。
【請求項７】
請求項１〜６の何れかに記載の電子レンジ加熱用収納箱のブランクシート。
【発明の詳細な説明】
【技術分野】
【０００１】
本発明は、平置型パウチを収容する箱に関する。
【背景技術】
【０００２】
カレー、スープ、親子丼、牛丼等の調理済みの食品や冷凍した野菜、果物等の半調理済の食品等は、プラスチック製の包装袋（以下、パウチと呼称する。）に密封状態で収納され、さらにこの包装袋が紙製の収納箱に入れられて、店頭などで販売されている。食品等をレンジで温めるとき、いままではパウチを開封して皿等にあけて温めていたが、近年電子レンジ対応パウチとして、パウチのまま電子レンジで加熱可能であり、且つ、加熱に伴い発生した蒸気を逃がす機能を持ったパウチがでてきている。
この種の食品の購入者は、飲食時に内容物を収容したパウチを箱から取り出し、パウチごと電子レンジの中に入れて加熱調理することができる。カレーや親子丼等のレトルト食品であれば内容物を温めた後、パウチから皿に内容物を取り出すことで、購入者は内容物を食することができる。この種の食品は、例えば平置型のパウチに収容されている。
【０００３】
特許文献１には、電子レンジカートンが開示されており、この電子レンジカートンは、電子レンジのテーブルにパウチを直置きした場合、電子レンジの特性から加熱調理する冷凍食品に加熱ムラが生じるといった問題や加熱効率が悪いといった問題を考慮したものである。具体的には、特許文献１の電子レンジカートンは、パウチを箱に入れたまま箱ごと電子レンジ加熱するものであり、特に電子レンジのテーブルから浮かした状態でパウチを保持することができるようになっている。
【先行技術文献】
【特許文献】
【０００４】
【特許文献１】特開２００２−３７０７３４号公報
【発明の概要】
【発明が解決しようとする課題】
【０００５】
しかし、カレーや親子丼などのレトルト食品を収容した平置型のパウチを電子レンジで加熱する際にターンテーブルに直置きして加熱すると、例えば内容物に粘性の有る食材を含んでいると内容物が焦げてしまうことがある。
【０００６】
このような内容物の焦げ付きは、特許文献１の電子レンジカートンでは底面板がターンテーブルから浮いた状態で保持されるため、即ちテーブルにパウチが直置きされないため、内容物の焦げを低減できる。しかし、特許文献１の電子レンジカートンは、電子レンジで加熱調理する際に、箱自体を切込みなどに沿って開封する等、底面板が電子レンジのテーブルから浮くように箱の形状を変形させる作業を行わなければならない。購入した箱を変形させずに箱ごと加熱調理できれば、食事の準備の手間を省けて便利であるが、特許文献１の電子レンジカートンはそのようには構成されていない。
また、仮にパウチを収容した箱をそのまま加熱した場合、内容物から発生する蒸気や内部空気の熱膨張でパウチの内圧が上昇すると、パウチの蒸気抜け手段を介してパウチ内の蒸気がパウチ外へ排出される。しかし、パウチから抜け出た蒸気が当該パウチを収容する箱内に充満し、さらに箱を構成する紙にその水分が付着すると、箱が変形したり、箱の表面に施した印刷画が変色等する虞があり、これでは、加熱調理後に取り出した箱の意匠性が損なわれ、延いては食欲にも影響を及ぼしかねない。
【０００７】
そこで、本発明は、パウチを内部に収容したままの状態で電子レンジ加熱することができ、その際、内容物の焦げ付きや蒸気による箱の変形等を防止できる、電子レンジ加熱用収納箱及びそのブランクシートを提供することを目的とする。
【課題を解決するための手段】
【０００８】
上記目的を達成するため、本発明の第１の構成は、底板部と、前後の第１側板部と左右の第２側板部と、天板部とから直方体或いは立方体を成し、内部に四角形状の平置型パウチを収容する電子レンジ加熱用の収納箱であって、下側の各コーナー部を内側に突出させて成る台座部と、下側の各コーナー部に形成されており箱内部から箱外部へ通じる蒸気用抜け穴と、を有し、台座部に平置型パウチを載せることで、当該平置型パウチは底板部の上側に距離を置いて保持され、その状態で当該平置型パウチが加熱されるとパウチから噴出した蒸気が蒸気抜け穴を介して箱外部へ出ることを特徴としている。
本発明の電子レンジ加熱用収納箱において、第１側板部及び第２側板部の各下側角部は、切れ込み線と折れ線とで画成される小片部を有し、隣接する第１側板部の小片部と第２側板部の小片部との一方は糊代を有し、台座部は、糊代で接合した第１側板部の小片部と第２側板部の小片部とで成る。
本発明の電子レンジ加熱用収納箱は、天板部が、第１側板部の上縁と第２側板部の上縁よりも低い位置に配設され、箱上面が凹部として構成されて積み重ねることができる。
【０００９】
上記目的を達成するため、本発明の第２の構成は、底板部と、前後の第１側板部と左右の第２側板部と、天板部とから直方体或いは立方体を成し、内部に四角形状の平置型パウチを収容する電子レンジ加熱用の収納箱であって、下側の各コーナー部を内側に突出させて成る第１台座部と、下側の各コーナー部に形成されており箱内部から箱外部へ通じる第１蒸気用抜き穴と、上側のコーナー部と下側のコーナー部との間で、各第１側板部と各第２側板部とが成す垂直辺を部分的に内側に突出させて成る第２台座部と、第２台座部に隣接して形成されており箱内部から箱外部へ通じる第２蒸気用抜け穴と、を有することで、第１台座部に平置型パウチを載せることで、当該平置型パウチは底板部の上側に距離を置いて保持され、第２台座部に平置型パウチの縁部を載せることで、当該平置型パウチは第１台座部に載置した平置型パウチの上側に距離を置いて保持される。
本発明の電子レンジ加熱用収納箱は、一つの垂直辺に複数の第２台座部を有するように構成されてもよく、この場合、好ましくは各台座部間に切り離し手段が設けられる。
本発明の第３の構成は、前記第１の構成及び第２の構成に係るブランクシートを提供するものである。
【発明の効果】
【００１０】
本発明によれば、平置型パウチを底から浮かした状態で保持でき、その状態で平置型パウチを電子レンジ加熱することができる。よって、電子レンジのターンテーブル面から浮かした状態で、平置型パウチを加熱できるため、内容物を焦がすことを防止できる。
さらに、パウチから蒸気が噴出しても、蒸気抜け穴を介して収納箱外部へ蒸気排出することができる。これにより、蒸気が箱内部に充満して箱を構成する紙が水分を多く含み、側板部表面に印刷した、例えば絵柄などが崩れたり変色することを防止できる。よって、箱外観の良好な見栄えを維持することができる。
【図面の簡単な説明】
【００１１】
【図１】（Ａ）は本発明の第１実施形態に係る電子レンジ加熱用収納箱の斜視図、（Ｂ）は内部に平置型パウチを収容した状態の収納箱の透視図である。
【図２】図１の電子レンジ加熱用収納箱の平面展開図である。
【図３】図１の電子レンジ加熱用収納箱のコーナー部を内側から見た部分斜視図である。
【図４】図１の電子レンジ加熱用収納箱に収納される平置型パウチの構成を示す斜視図である。
【図５】本発明の第２実施形態の電子レンジ加熱用収納箱を示す斜視図である。
【図６】図５の電子レンジ加熱用収納箱の平面展開図である。
【図７】図５の電子レンジ加熱用収納箱を積み重ねた状態を示す斜視図である。
【図８】本発明の第３実施形態の電子レンジ加熱用収納箱を示す斜視図である。
【図９】図８の電子レンジ加熱用収納箱の平面展開図である。
【図１０】図８の電子レンジ加熱用収納箱のコーナー部を内側から見た部分斜視図である。
【図１１】（Ａ）は本発明の第４実施形態に係る電子レンジ加熱用収納箱の斜視図で、（Ｂ）は内部に平置型パウチを収容した状態の収納箱の透視図である。
【図１２】図１１の電子レンジ加熱用収納箱の平面展開図である。
【図１３】図１１の電子レンジ加熱用収納箱のコーナー部を内側から見た部分斜視図である。
【図１４】本発明の第５実施形態に係る電子レンジ加熱用収納箱の斜視図である。
【図１５】本発明の第６実施形態に係る電子レンジ加熱用収納箱の斜視図である。
【発明を実施するための形態】
【００１２】
以下、図面に示した実施形態に基づいて本発明を詳細に説明する。
〔第１実施形態〕
図１（Ａ）は本発明の第１実施形態に係る電子レンジ加熱用収納箱（以下、収納箱と呼称する。）１の斜視図であり、図１（Ｂ）は内部に平置型パウチ（以下、単にパウチと言う場合がある。）Ｐを収容した状態の収納箱１の透視図であり、図２は図１の収納箱１の平面展開図、即ちブランクシートを示す図である。
収納箱１は、１枚の紙、例えば厚紙を裁断して得た紙片を組み立てて成る。紙片には、折り筋や切り込みが入れられており、折り筋又は切り込みを境に各部を折り曲げ、糊代部分を対応箇所に貼着することで、図１の収納箱１が構成される。
【００１３】
先ず、図２に基づいて、１枚の紙片だけから成る収納箱１の構成について説明する。
収納箱１は、底板部１０と、前後左右の４つの側板部２０，３０，４０，５０と、天板部６０とから直方体状に構成されている。具体的には、収納箱１は、底板部１０と、底板部１０の前側の縁に沿って刻設した折り筋１０Ｆを介して当該底板部１０に連設した前側の側板部２０と、底板部１０の後側の縁に沿って刻設した折り筋１０Ｂを介して当該底板部１０に連設した後側の側板部３０と、底板部１０の左側の縁に沿って刻設した折り筋１０Ｌを介して当該底板部１０に連設した左側の側板部４０と、底板部１０の右側の縁に沿って刻設した折り筋１０Ｒを介して当該底板部１０に連設した右側の側板部５０と、左側の側板部４０の上縁に沿って刻設した折り筋４０Ｕを介して当該左側の側板部４０に連設した天板部６０と、を備えている。
これらの底板部１０、前後左右の各側板部２０，３０，４０，５０、天板部６０は、それぞれ長方形に形成されている。
【００１４】
さらに、左側の側板部４０の前後の縁からは折り筋４０Ｆ，４０Ｂを介して糊代片４１，４２が延出しており、右側の側板部の前後の縁、さらに天板部の前述の折り筋４０Ｕの反対側の縁からも折り筋５０Ｆ，５０Ｂ，６０Ｒを介して糊代片５１，５２，６１が延出している。
【００１５】
本実施形態の底板部１０では、各角部が切り欠かれて形成されている。図中の斜線領域が、底板部１０の切り欠かれた部分（以下、切欠部と呼称する。）１０Ｃを表している。この切欠部１０Ｃは、正方形に形成されている。
【００１６】
この切欠部１０Ｃに隣接して、前後左右の側板部２０，３０，４０，５０には、当該側板部とは別個に折り曲げ可能な小片部が設定されている。
ここで、図２に円Ａで囲んだ領域に着目して説明する。
前側の側板部２０では、側板部２０の下縁を境に当該切欠部の反対側の対称領域が小片部として構成されている。具体的には、前側の側板部２０では、下側の角部に、下縁に沿って平行で当該下縁から距離を置いた位置に切れ込み２０Ａと、左右の縁に沿って平行で当該左右の縁から距離を置いた位置に上下に延びた折り筋２０Ｂと、を有し、これらの切れ込み２０Ａと折り筋２０Ｂとで囲われた角が第１小片部２５として形成されている。なお、図面では、切れ込みを実線で、折り筋を破線で表している。
右側の側板部５０では、側板部５０の下縁を境に当該切欠部１０Ｃの反対側の対称領域と、この領域から外側に突出した糊代の一部の領域とで、小片部が構成されている。具体的には、右側の側板部５０では、下側の角部に、下縁に沿って平行で当該下縁から距離を置いた位置に切れ込み５０Ａと、左右の縁に沿って平行で当該左右の縁から距離を置いた位置に上下に延びた折り筋５０Ｂと、を有する。なお、切れ込み５０Ａは、右側の側板部５０からそれに隣接した糊代片５１にも形成されている。これらの切れ込み５０Ａと折り筋５０Ｂとで囲われた角部領域が第２小片部５５として形成されている。
【００１７】
このように一つの切欠部１０Ｃに隣接して形成された二つの第１小片部２５及び第２小片部５５を接合することで、本実施形態の収納箱１では図１（Ａ）に示すように、収納箱を構成する３つの面が重なり合う下側の各コーナー部を窪み１０Ｄとして構成、より具体的には収納箱１は、下側の各コーナー部を内側に突出させて成る台座部７１を有するよう構成されている。
図３は収納箱１のコーナー部を内側から見た斜視図である。この図に示すように、前側の側板部２０の第１小片部２５を内側に折り曲げ、右側の側板部５０の第２小片部５５を内側に折り曲げ、さらにこの第２小片部５５の先端部の糊代部分を第１小片部２５の裏面に当接するように折り曲げる。そして、糊代部分を前側の側板部２０の第１小片部２５に糊などで接着することで、図３に示すように、コーナー部の内側に突出する台座部７１を形成することができる。図３において、前側の側板部２０の第１小片部２５と右側の側板部５０の第２小片部５５とが成す角度が略９０度になるように設定されており、両小片部の高さが同一であるため、両者が接合して成す上縁は略“Ｌ”字型を呈する。
【００１８】
図３に示す台座部７１は、箱の前左下のコーナー部だけでなく、前右下側、後左下側及び後右下側のコーナー部にも形成されている。
【００１９】
台座部７１は、収納箱１の外壁を構成する側板部自体を部分的に内側に折り曲げて構成されるため、各台座部７１に隣接して、収納箱内部から外部へ通じる穴部、後述の蒸気用抜け穴７２が形成される。図３で蒸気用抜け穴７２を斜線で表している。
【００２０】
本発明の実施形態に係る収納箱１は以上のように構成されており、内部に画成された空間に平置型パウチＰが収容される。
ここで、図４は本実施形態に係る平置型パウチＰの概略斜視図であり、この平置型パウチＰは、例えばプラスチック製フィルムを重ね合わせて外形が四角形状に形成され、さらに上面の中央部から上方へ突出するように合掌部が形成されている。合掌部の一部、図示例では、中間領域（図中に円Ｂで囲んだ領域）が接着力を弱くして形成されている。この接着力が脆弱な部分が蒸気抜手段として構成され、パウチ内の蒸気の圧力により当該脆弱部が剥離して、パウチ内から外へ通じる穴が形成され、この穴を介してパウチ内の蒸気が外部へ排出される。
このような平置型パウチＰは、各角部が図１（Ｂ）に示すように台座部７１に載置されて、底面板１０の上方に距離を置いて、即ち底面板１０から浮いた状態で保持される。台座部７１に載置されるパウチは、平置形状のものであればピロー、ガゼット等の形状は問わない。また、蒸気抜手段の位置も図示例に限定されるものではない。
【００２１】
このように内部に平置型パウチＰを収容した収納箱１をそのまま電子レンジ内に入れて加熱すると、パウチＰ内の内容物から蒸気が発生し、この蒸気によってパウチＰの内圧が高くなり、蒸気抜手段を介してパウチＰ内の蒸気が外へ排出される。パウチＰから出た蒸気は、収納箱１内に充填するが、収納箱１は台座部７１に隣接して形成された蒸気用抜け穴７２を有するため、この穴７２から収納箱１内の蒸気が箱外部へ排出される。
【００２２】
このように本発明の実施形態に係る収納箱１によれば、平置型パウチＰを底から浮かした状態で保持でき、その状態で平置型パウチＰを電子レンジ加熱することができる。よって、電子レンジのターンテーブル面から浮かした状態で、平置型パウチＰを加熱できるため、内容物を焦がすことが防止できる。
さらに、パウチＰから蒸気が噴出しても、蒸気抜け穴７２を介して、収納箱１外部へ蒸気排出することができる。これにより、蒸気が箱内部に充満して、箱を構成する紙が水分を多く含んで、側板部表面に印刷した、例えば絵柄などが崩れたり変色することを防止できる。これにより、箱外観の良好な見栄えを維持することができる。
【００２３】
〔第２実施形態〕
図５は本発明の第２実施形態の収納箱１Ａを示す斜視図であり、図６は図５の収納箱１Ａの平面展開図である。以下、第１実施形態の収納箱１と同一の部材には同じ符号を付してその説明は省略する。
この収納箱１Ａは、第１実施形態の収納箱１と異なり、天板部６０が側板部２０，３０，４０，５０の上縁よりも低い位置に配設されて、箱上部が凹んだ形態を成している。
この収納箱１Ａは、前述の収納箱１とほぼ同様に構成されるが、天板部６０の構成が異なる。具体的には、図６に示すように、天板部６０は、左側の側板部４０との間に第１重ね部６２を介して連結されている。この第１重ね部６２は、ブランクを折り畳んで収納箱を組み立てる際に左側の側板部４０の内面に重ね合わさるものである。この第１重ね部６２は、折り筋を介して左側の側板部４０及び天板部６０に連設されている。
【００２４】
このように重ねる部分は、天板部６０の他の３辺からも折り筋を介して延出している。具体的には、天板部６０の前縁には、折り筋を介して第２重ね部６３が連設されている。この第２重ね部６３は、前側の側板部２０の内面に重ね合わさるものである。
【００２５】
天板部６０の右縁には、折り筋を介して第３重ね部６４が連設されている。この第３重ね部６４は、右側の側板部５０の内面に重ね合わさるものである。
天板部６０の後縁には、折り筋を介して第４重ね部６５が連設されている。この第４重ね部６５は、後側の側板部３０の内面に、重ね合わさるものである。
【００２６】
このように、天板部６０の周縁、即ち四辺にそれぞれ重ね部を設けたことで、収納箱１Ａは、当該天板部６０を、側板部２０，３０，４０，５０の上縁から一段下がった低い位置に保持することができる。このように箱上部の凹み領域は、箱底部の面積よりも広く形成されている。即ち、図６の底板部１０の角部の斜線領域の分だけ、天板部６０は底板部１０よりも広く設定されている。
【００２７】
本実施形態に係る収納箱１Ａによれば、上面の窪み領域が底部より広く設定されているため、図７に示すように、同じ収納箱１Ａを積み重ねることができる。この場合、上側の収納箱１Ａの底部が下側の収納箱１Ａの上面凹部に嵌入する。これにより、上側の収納箱１Ａの側面板が下側の収納箱における天板部６０より上方へ突出する側板部２０，３０，４０，５０の内面に密接し、左右への動きが規制される。
【００２８】
このように、本実施形態に係る収納箱１Ａによれば、上下に積み重ねることができて便利である。
【００２９】
〔第３実施形態〕
図８は本発明の第３実施形態の収納箱１Ｂを示す斜視図であり、図９は図８の収納箱１Ｂの平面展開図である。以下、第１実施形態及び第２実施形態と同一の部材には同じ符号を付し、その説明は省略する。
この収納箱１Ｂは、第２施形態に係る収納箱１Ａと異なり、天板部６０の四隅が、上に積み重ねられる他の収納箱１Ｂの窪み、即ち下側の各コーナー部に形成された窪み１０Ｄと嵌まる凸部８０を有することを特徴とする。
この凸部８０は、箱を組み立てる際に利用する糊代片を利用して構成される。
ここで、図９の円Ｃで囲んだ部分の糊代片８１について説明する。この糊代片８１は、後側の側板部３０の左縁から延出するように折り筋３０Ｌを介して連設されており、一つの糊代片８１には前述の左縁に沿った２本の折り筋８２，８３が設定されていて、それらの折り筋８２，８３を境に折り畳むことで、断面が直角三角形状の筒部７５を構成することができる。この筒部７５は糊代としても機能するのであり、図９における折り筋３０Ｌと折り筋８２との間の領域Ｓ１が隣接する側板部４０の内面に糊などによって接着され、図９における折り筋８３から右側の領域Ｓ２が後側の側板部３０の内面に糊などによって接着される。そして、糊代片８１において、領域Ｓ１と領域Ｓ２との間の領域Ｓ３は二つの隣接する側板部３０，４０を架設するように設けられている。図１０に示すように筒部７５の上端の高さは隣接する側板部の上縁と同じであるため、天板部６０は、図９に示すように四隅が筒部の邪魔にならないようにカットされて構成されている。
なお、後側の側板部３０における右縁から延出した糊代片８１、前側の側板部２０における左右の縁から延出した糊代片８１も、上記の糊代片と同様に構成されている。各糊代片８１に対応して、天板部６０の各角部はカットされている。
【００３０】
このように収納箱１Ｂは、当該天板部６０を、側板部２０，３０，４０，５０の上縁から一段下がった低い位置に保持し、この天板部６０の切除した角部領域から上方へ凸部８０が突出する（図８参照）。
【００３１】
本実施形態に係る収納箱１Ｂによれば、前述の第２実施形態の収納箱１Ａと同様に上下に積み重ねることができて便利であり、さらに上側の収納箱１Ｂの窪みに下側の収納箱１Ｂの凸部８０が嵌まるため、上側の収納箱１Ｂの前後左右方向への動きを規制できる。これにより、安定して収納箱１Ｂを複数段積み重ねることができる。
【００３２】
〔第４実施形態〕
図１１（Ａ）は本発明の第４実施形態に係る収納箱１Ｃの斜視図であり、図１１（Ｂ）は内部にパウチＰを収容した状態の収納箱１の透視図、図１２は図１１の収納箱１の平面展開図である。
【００３３】
本実施形態の収納箱１Ｃでは、図１１に示すように、側板部とそれに隣接する側板部とが成す垂直辺、より具体的には上下のコーナー部間の垂直辺にも窪みが形成されていることを特徴としている。
このように、垂直辺に窪みが形成されるように、前後の側板部と左右の側板部の縁には切り込みと折り筋が入れられている。図１２に円Ｂで示すように、前側の側板部２０の右縁には、高さ方向の中間部に下縁に平行な切り込み２６，２７が二本入れられており、これらの切り込み２６，２７の端部を結ぶように、一本の折り筋２８が入れられている。二本の切り込み２６，２７で挟まれた領域部分は、折り筋２８を介して折り畳み可能な第３小片部２９として構成されている。
この前側の側板部２０と共に垂直辺を構成する右側の側板部５０は、その前縁に、前述の第３小片部２９と同じ高さ位置に第４小片部５９が形成されている。即ち右側の側板部５０の前縁には、図１２に円Ｃで示すように、高さ方向の中間部に下縁に平行な切り込み５６，５７が二本入れられており、これらの切り込み５６，５７の端部を結ぶように一本の折り筋５８が入れられている。二本の切り込み５６，５７で挟まれた領域部分が、折り筋５８を介して折り畳み可能な第４小片部５９として構成される。
【００３４】
このように垂直辺を構成する前側の側板部２０と右側の側板部５０とには、同じ高さ位置に二つの第３小片部２９及び第４小片部５９が形成されており、これらの第３小片部２９と第４小片部５９とを接合することで、本実施形態の収納箱１Ｃでは当該垂直辺の一部が内側に折り曲げられて窪み１０Ｅとして構成されている。より具体的には、収納箱１Ｃは、垂直辺の上下方向の中間部を内側に折り曲げて成る台座部を有する。以下、下側の台座部７１を第１台座部７１と呼称し、上側の台座部７３を第２台座部７３と呼称する。
ここで、図１３に示すように、前側の側板部２０の第３小片部２９を内側に折り曲げ、右側の側板部５０の第４小片部５９を内側に折り曲げ、さらにこの第４小片部５９の先端部の糊代部分を第３小片部２９の裏面に当接するように折り曲げる。そして、糊代部分を第３小片部２９に糊などで接着することで、図１３に示すように、コーナー部の内側に突出する第２台座部７３を形成することができる。図１３において、第３小片部２９と第４小片部５９とが成す角度が略９０度になるように設定されており、両小片部の高さが同一であるため、両者が接合して成す上縁は略“Ｌ”字型を呈する。
【００３５】
図１３に示す第２台座部７３は、箱の前右側の垂直辺だけでなく、前左側、後側左右の垂直辺にも形成されている。
【００３６】
さらに、このように、第２台座部７３が、収納箱１の外壁を構成する側板部自体を部分的に内側に折り曲げて構成されるため、各第２台座部７３に隣接して、収納箱内部から外部へ通ずる蒸気用抜き穴７４が形成される。図１３でこの蒸気用抜き穴７４を斜線で表している。
【００３７】
本発明の実施形態に係る収納箱１Ｃは以上のように構成されており、内部に画成された空間に平置型パウチＰが収容される。
平置型パウチＰは、各角部が図１１（Ｂ）に示すように下側の第１台座部７１に載置されて、底板部１０の上方に距離を置いて、即ち底板部１０から浮いた状態で保持される。また、別の平置型パウチＰは、各角部が図１１（Ｂ）に示すように上側の第２台座部７３に載置されて、下側のパウチＰの上方に距離を置いて保持される。
【００３８】
このように内部に２つの平置型パウチＰを上下に間隔を開けて収容することができ、そのままの状態で収納箱ごと電子レンジ内に入れて加熱することができる。収納箱１Ｃを電子レンジ加熱すると、パウチＰ内の内容物から蒸気が発生し、この蒸気によってパウチＰの内圧が高くなり、蒸気抜手段を介してパウチＰ内の蒸気が外に排出される。パウチＰから出た蒸気は、収納箱１Ｃ内に充填するが、収納箱１Ｃは、第１台座部７１及び第２台座部７３に隣接して形成された蒸気用抜き穴７２，７４を有するため、この穴７２，７４から収納箱１内の蒸気が箱外部へ排出される。
【００３９】
このように本発明の実施形態に係る収納箱１Ｃによれば、箱内部に二つのパウチＰを上下に間隔を開けてそれぞれ別々に保持することができるため、電子加熱レンジで一方のパウチが膨脹しても他のパウチＰの位置がずれることはない。これにより、二つのパウチＰを一緒にムラ無く温めることができる。
さらに、パウチＰから蒸気が噴出しても、蒸気抜け穴７２，７４を介して、収納箱１Ｃ外部へ蒸気排出することができる。これにより、蒸気が箱内部に充満して箱を構成する紙が水分を多く含み、側板部表面に印刷した、例えば絵柄などが崩れたり変色することを防止でき、箱外観の良好な見栄えを維持することができる。
【００４０】
〔第５実施形態〕
図１４は本発明の第５実施形態の収納箱１Ｄを示す斜視図である。以下、第４実施形態の収納箱１Ｃと同一の部材には同じ符号を付し、その説明は省略する。
この収納箱１Ｄは、第４実施形態に係る収納箱１Ｃと異なり、一つの垂直辺に複数の第２台座部７３を有することを特徴としている。図示例では、下側のコーナー部の第１台座部７１を含めると、一つの垂直辺に３個の台座部が設定されている。
この収納箱１Ｄによれば、３個の平置型パウチＰを上下方向に距離を置いて保持することができる。電子レンジ加熱で、一度に３個の平置型パウチＰを温めることができる。
【００４１】
〔第６実施形態〕
図１５は本発明の第６実施形態の収納箱１Ｅを示す斜視図である。以下、第４実施形態〜第５実施形態の収納箱１Ｃ〜１Ｄと同一の部材には同じ符号を付し、その説明は省略する。
この収納箱１Ｅは、第５実施形態に係る収納箱１Ｄと異なり、必要に応じて、各台座部単位で収納箱を分離することができる。このため収納箱１Ｅには、前後左右の側板部に、側面周囲を一周するようにジッパー等の切り離し手段９０が上下の台座部間に設けられている。
この収納箱１Ｅによれば、例えば、一つの収納箱１Ｅには３個のパウチＰが収容されているが、例えば２つのパウチＰだけが必要な場合は下から２段目と３段目の台座部間の切り離し手段９０によって箱の下側分を分離することできる。このように、収納箱１Ｅは、必要なパウチＰの数に応じて分離することができて便利である。
【００４２】
以上詳述したが、本発明は発明の趣旨を逸脱しない範囲において様々な形態で実施をすることができる。
例えば、上記説明では、収納箱が直方体状に構成された場合を説明したが、立方体として構成されてもよいことは勿論である。また、直方体の縦、横、高さの寸法比率は図示例に限定されるものではないことは勿論である。
上記の説明では、天板部６０が左側の側板部２０に連設されている場合を説明したが、他の側板部２０，３０，５０の何れかに連設されるように本発明の収納箱を構成してもよい。
上記構成例では、図４に示すパウチを収容する場合を例示したが、パウチは図４の構成に限定されるものではなく、例えば、上面の中央部に蒸気抜手段を設ける構成であってもよいことは勿論である。
上記第２実施形態の収納箱１Ａにあっては、上下に積み重ねし易いように、各側面２０，３０，４０，５０がその下縁を上縁よりも箱内側に位置させた傾斜面として形成されてもよい。
【符号の説明】
【００４３】
１、１Ａ、１Ｂ、１Ｃ、１Ｄ、１Ｅ      電子レンジ加熱用収納箱
１０  底板部
１０Ｂ、１０Ｆ、１０Ｌ、１０Ｒ、２０Ｂ、２８，４０Ｂ、４０Ｆ、４０Ｕ、５０Ｆ、５０Ｂ、６０Ｒ、８２，８３  折り筋
１０Ｃ  切欠部
１０Ｄ  窪み
２０，３０，４０，５０  側板部
２０Ａ,２６，２７、50A  切れ込み
２５  第１小片部
２９  第３小片部
５５  第２小片部
５９  第４小片部
６２  第１重ね部
６３  第２重ね部
６４  第３重ね部
６５  第４重ね部
７１  台座部（第１台座部）
７２、７４  蒸気用抜け穴
７３  第２台座部
７５  筒部
８０  凸部
８１  糊代片
９０  切り離し手段
Ｐ  平置型パウチ
【図１】
2010195416.tif 000003
【図２】
2010195416.tif 000004
【図３】
2010195416.tif 000005
【図４】
2010195416.tif 000006
【図５】
2010195416.tif 000007
【図６】
2010195416.tif 000008
【図７】
2010195416.tif 000009
【図８】
2010195416.tif 000010
【図９】
2010195416.tif 000011
【図１０】
2010195416.tif 000012
【図１１】
2010195416.tif 000013
【図１２】
2010195416.tif 000014
【図１３】
2010195416.tif 000015
【図１４】
2010195416.tif 000016
【図１５】
2010195416.tif 000017